【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
ケーシングと、
ブロワと、
を具備し、
前記ケーシングは、ケーシング入口を備えた入口チャンバと、前記ブロワの入口端部を支持するためのブロワ入口チャンバと、を含み、前記入口チャンバは、空気伝搬放射ノイズを減衰するように構成され、前記ブロワは前記入口チャンバ内に設けられ、前記ブロワの入口端部において前記ブロワ入口チャンバからの気流を受容し、前記ブロワの出口端部は前記入口チャンバ内の気流から隔離されている、ＰＡＰデバイス。
【請求項２】
前記ブロワは、前記ブロワの低圧側と高圧側とを分割するように構成されたサスペンションシステムによって支持されている、請求項１に記載のＰＡＰデバイス。
【請求項３】
前記サスペンションシステムは、前記ブロワの出口端部を支持するための出口端部サスペンションと、前記ブロワの入口端部を支持するための入口端部サスペンションと、を含んでいる、請求項２に記載のＰＡＰデバイス。
【請求項４】
前記ケーシングは、ベースと、前記ベースに対して設けられた端壁部と、を含み、前記出口端部サスペンションは、前記ケーシング内において前記ブロワの前記出口端部を支持し、且つ前記端壁部と前記ベースとの間にシールを形成している、請求項３に記載のＰＡＰデバイス。
【請求項５】
ケーシング出口が前記入口チャンバ内に位置し、前記ケーシング出口は前記ブロワの前記出口端部に対して結合され、且つ前記サスペンションシステムにより前記ケーシング入口から隔離されている、請求項２から４のいずれか一項に記載のＰＡＰデバイス。
【請求項６】
前記入口チャンバは、前記ブロワ入口チャンバよりも大きい、請求項１から５のいずれか一項に記載のＰＡＰデバイス。
【請求項７】
前記サスペンションシステムは、各センサと接続するための１つまたは複数のポートを含んでいる、請求項２から６のいずれか一項に記載のＰＡＰデバイス。
【請求項８】
前記サスペンションシステムは、単体構造として一体的に形成され、前記ブロワを囲むまたは包むように構成されている、請求項２から７のいずれか一項に記載のＰＡＰデバイス。
【請求項９】
前記サスペンションシステムは、１つまたは複数のセンサとの間で接続するおよび封止するように構成されている、請求項２から８のいずれか一項に記載のＰＡＰデバイス。
【請求項１０】
前記サスペンションシステムは、１つまたは複数の外方表面上に複数のリブまたはバンプを含んでいる、請求項２から９のいずれか一項に記載のＰＡＰデバイス。
【請求項１１】
前記ケーシングは、前記ケーシング入口から前記入口チャンバ内に延びた少なくとも１つの入口導管を含み、空気が前記入口チャンバに進入することを可能にしている、請求項１から９のいずれか一項に記載のＰＡＰデバイス。
【請求項１２】
前記少なくとも１つの入口導管は、前記ブロワの軸に平行に延びている、請求項１１に記載のＰＡＰデバイス。
【請求項１３】
前記少なくとも１つの入口導管はその長さに沿ってテーパ状とされており、その入口端部はその出口端部よりも大きくなっている、請求項１１または１２に記載のＰＡＰデバイス。
【請求項１４】
前記少なくとも１つの入口導管は、前記入口チャンバの全長の３０％よりも長い長さを有する、請求項１１から１３のいずれか一項に記載のＰＡＰデバイス。
【請求項１５】
前記少なくとも１つの入口導管は、前記入口チャンバの全長の５０％よりも長い長さを有する、請求項１４に記載のＰＡＰデバイス。
【請求項１６】
前記少なくとも１つの入口導管は、200kg/m4よりも大きいイナータンスを提供するように構成されている、請求項１１から１５のいずれか一項に記載のＰＡＰデバイス。
【請求項１７】
前記少なくとも１つの入口導管は、300kg/m4よりも大きいイナータンスを提供するように構成されている、請求項１６に記載のＰＡＰデバイス。
【請求項１８】
前記ケーシングは、前記ケーシング入口から前記入口チャンバ内へ延びて、空気が前記入口チャンバに進入することを可能にした複数の入口導管を含んでいる、請求項１から１７のいずれか一項に記載のＰＡＰデバイス。
【請求項１９】
前記ケーシングは複数の導管を含み、空気が前記入口チャンバから前記ブロワ入口チャンバへ通ることを可能にしている、請求項１から１８のいずれか一項に記載のＰＡＰデバイス。
【請求項２０】
前記入口チャンバと前記ブロワ入口チャンバとの間の複数の導管を支持するための流れプレートさらに具備している、請求項１９に記載のＰＡＰデバイス。
【請求項２１】
前記複数の導管は、前記ブロワの軸に平行に延びている、請求項１９または２０に記載のＰＡＰデバイス。
【請求項２２】
前記複数の導管は、前記ブロワの入口端部の上流に設けられている、請求項１９から２１のいずれか一項に記載のＰＡＰデバイス。
【請求項２３】
前記ケーシングは、前記入口チャンバおよび前記ブロワ入口チャンバを含んだ２つのチャンバのみを設けている、請求項１から２２のいずれか一項に記載のＰＡＰデバイス。
【請求項２４】
前記サスペンションシステムは、前記ケーシングのケーシング出口を通じて延びた出口導管を含んでいる、請求項２から５のいずれか一項、または請求項２に従属した請求項６から２３のいずれか一項に記載のＰＡＰデバイス。
【請求項２５】
前記ケーシング出口は、前記ブロワの出口端部からオフセットされている、請求項２４に記載のＰＡＰデバイス。
【請求項２６】
ケーシングと、
少なくとも１つの入口導管と、
出口と、
前記ケーシング内に設けられたブロワと、
を具備し、
前記ケーシングは少なくとも入口チャンバとブロワ入口チャンバとを含み、該ブロワ入口チャンバは前記ブロワの入口端部を支持するように構成されており、
前記少なくとも１つの入口導管は前記入口チャンバ内に空気を供給するように構成され、前記出口は前記入口チャンバ内に配置されて、前記ブロワの出口端部と連通しており、前記ブロワの出口端部は、前記入口チャンバ内の気流から隔離されている、ＰＡＰデバイス。
【請求項２７】
前記少なくとも１つの入口導管は、約60mm〜約120mmの長さを有する、請求項２６に記載のＰＡＰデバイス。
【請求項２８】
前記少なくとも１つの入口導管は、約95mmの長さを有する、請求項２７に記載のＰＡＰデバイス。
【請求項２９】
前記少なくとも１つの入口導管は、前記入口チャンバの長さの５０％よりも長い長さを有する、請求項２６から２８のいずれか一項に記載のＰＡＰデバイス。
【請求項３０】
前記少なくとも１つの入口導管は、200kg/m4よりも大きいイナータンスを提供するように構成されている、請求項２６から２９のいずれか一項に記載のＰＡＰデバイス。
【請求項３１】
前記少なくとも１つの入口導管は、300kg/m4よりも大きいイナータンスを提供するように構成されている、請求項３０に記載のＰＡＰデバイス。
【請求項３２】
前記ブロワの出口端部は、出口端部サスペンションによって前記入口チャンバ内の気流から隔離されている、請求項２６から３１のいずれか一項に記載のＰＡＰデバイス。
【請求項３３】
前記出口端部サスペンションは、前記出口と前記ブロワの出口端部との間に連結されている、請求項３２に記載のＰＡＰデバイス。
【請求項３４】
前記出口端部サスペンションは、ブロワ係合部分、管部分、およびケーシング係合部分を備えている、請求項３２または３３に記載のＰＡＰデバイス。
【請求項３５】
前記ブロワ係合部分は前記ブロワの出口端部に連結されており、前記ケーシング係合部分は前記出口に連結されており、前記ケーシング係合部分は、ケーシングを振動から隔離するように構成されている、請求項３４に記載のＰＡＰデバイス。
【請求項３６】
前記ケーシング係合部分は圧力ポートを含んでいる、請求項３４または３５に記載のＰＡＰデバイス。
【請求項３７】
前記管部分は、前記ブロワの出口端部と前記出口との間に延びた、封止された出口経路を提供している、請求項３４から３６のいずれか一項に記載のＰＡＰデバイス。
【請求項３８】
前記出口経路は、前記出口に向かう方向において拡張された断面を有する、請求項３７に記載のＰＡＰデバイス。
【請求項３９】
前記ブロワの入口端部を支持するための入口端部サスペンションをさらに具備している、請求項２６から３８のいずれか一項に記載のＰＡＰデバイス。
【請求項４０】
前記出口端部サスペンションおよび／または前記入口端部サスペンションは、シリコーンまたは熱可塑性エラストマから形成されている、請求項３９に記載のＰＡＰデバイス。
【請求項４１】
前記ブロワは前記ブロワ入口チャンバ内に配置されている、請求項２６から４０のいずれか一項に記載のＰＡＰデバイス。
【請求項４２】
前記入口導管は、約8mm〜約20mmの間の内径を有する、請求項２６から４１のいずれか一項に記載のＰＡＰデバイス。
【請求項４３】
前記入口導管はその長さに沿ってテーパ状とされ、その入口端部における直径はその出口端部における直径よりも大きくなっている、請求項４２に記載のＰＡＰデバイス。